(57)【要約】      （修正有）【課題】ボイラ本体内にボイラの保守点検等のためのボイラ内足場を安全かつ短期間に構築することができる、ボイラ内足場の構築方法を提供する。【解決手段】上段ジャッキ作業床６の下方部に、下段ジャッキ作業床用ジャッキ１３により吊り上げ・吊り下げ可能な下段ジャッキ作業床１２を構築し、上段ジャッキ作業床６を上段ジャッキ作業床用ジャッキ７により水管ノーズ部４の下方部まで吊り上げ、上段ジャッキ作業床６上において吊り下げパネル点検用足場１７を組み立て、これと同時に、下部作業床５においてボイラ本体点検用足場１６を組み立て、組み立てたボイラ本体点検用足場１６を下段ジャッキ作業床１２に接続し、下段ジャッキ作業床用ジャッキ１３により下段ジャッキ作業床１２をボイラ本体点検用足場１６と共に吊り上げ、これの作業を繰り返し行って、ボイラ本体点検用足場１６を水管ノーズ部４の下方部まで組み立てる。【選択図】図５
2017061814.tif 000002
【特許請求の範囲】
【請求項１】
水管ノーズ部が形成されたボイラ本体内にボイラ内足場を構築する、ボイラ内足場の構築方法において、下記（１）工程から（７）工程、
（１）前記ボイラ本体のボイラホッパー上に構築された下部作業床において上段ジャッキ作業床用ジャッキにより吊り上げ・吊り下げ可能な上段ジャッキ作業床を組み立てる。
（２）前記上段ジャッキ作業床を前記上段ジャッキ作業床用ジャッキにより若干、吊り上げた後、前記上段ジャッキ作業床上に吊り下げパネル点検用足場材を荷上げする。
（３）前記上段ジャッキ作業床の下方部に、下段ジャッキ作業床用ジャッキにより吊り上げ・吊り下げ可能な下段ジャッキ作業床を構築する。
（４）前記吊り下げパネル点検用足場材が荷上げされた前記上段ジャッキ作業床を前記上段ジャッキ作業床用ジャッキにより前記水管ノーズ部の下方部まで吊り上げる。
（５）前記上段ジャッキ作業床上において吊り下げパネル点検用足場を組み立てる。
（６）前記（５）工程と同時に、前記下部作業床においてボイラ本体点検用足場を組み立て、組み立てた前記ボイラ本体点検用足場を前記下段ジャッキ作業床に接続し、前記下段ジャッキ作業床用ジャッキにより前記下段ジャッキ作業床を前記ボイラ本体点検用足場と共に吊り上げる。
（７）前記（６）工程を繰り返し行って、前記ボイラ本体点検用足場を前記水管ノーズ部の下方部まで組み立てる。
によって、前記ボイラ本体点検用足場と前記吊り下げパネル点検用足場とを同時に組み立てて、ボイラ内足場を構築することを特徴とする、ボイラ内足場の構築方法。
【請求項２】
前記上段ジャッキ作業床用ジャッキおよび前記下段ジャッキ作業床用ジャッキは、ストランド式ジャッキからなることを特徴とする、請求項１に記載の、ボイラ内足場の構築方法。
【発明の詳細な説明】
【技術分野】
【０００１】
この発明は、ボイラ内足場の構築方法、特に、ボイラ本体内にボイラの保守点検等のためのボイラ内足場を安全かつ短期間に構築することができる、ボイラ内足場の構築方法に関するものである。
【背景技術】
【０００２】
例えば、火力発電所に設置されている大型ボイラの炉壁や吊り下げパネル等の保守点検等は、ボイラ本体内に足場を構築することにより行われている。
【０００３】
従来の、ボイラ内足場の構築方法の一例を、図面を参照しながら説明する。以下、この構築方法を従来法という。
【０００４】
図６は、ボイラを示す断面図、図７は、従来法によりボイラ本体点検用足場を下から上に向かって構築する状態を示す断面図、図８は、従来法により水管ノーズ部の下方部までボイラ本体点検用足場を構築した後、ボイラ本体点検用足場上に全面床を構築した状態を示す断面図、図９は、従来法により全面床上に吊り下げパネル点検用足場を構築する状態を示す断面図、図１０は、従来法によりボイラ内足場の構築が完了した状態を示す断面図、図１１は、図６のＡ−Ａ断面図、図１２は、図６のＢ−Ｂ断面図、図１３は、図７のＣ−Ｃ断面図、図１４は、図１０のＤ−Ｄ断面図である。
【０００５】
図６から図１４において、２１は、ボイラ本体、２２は、ボイラ本体２１の下部に構築されたボイラホッパー、２３は、ボイラ本体２１内の上部方部に設置された、伝熱面積を増やすための吊り下げパネル、２４は、ボイラ本体２１の内側に突出して構築された水管ノーズ部である。
【０００６】
従来法によりボイラ本体内に足場を構築するには、図７に示すように、ボイラ本体点検用足場２５をボイラホッパー２２上に構築された下部作業床２６上で下から上に向かって組み立てる。このようにして、図８に示すように、ボイラ本体点検用足場２５を水管ノーズ部２４の下方部まで組み立てた後、ボイラ本体点検用足場２５上に全面床２７を構築する。
【０００７】
次いで、図９に示すように、全面床２７上で吊り下げパネル点検用足場２８を組み立てる。このようにして、図１０に示すように、吊り下げパネル点検用足場２８をボイラ天井壁２９の直下まで組み立てる。
【０００８】
以上のようにして、従来法によりボイラ本体内足場を構築していた。
【先行技術文献】
【特許文献】
【０００９】
【特許文献１】特開平１０−５９６９１号公報
【発明の概要】
【発明が解決しようとする課題】
【００１０】
上記従来法によりボイラ本体内に足場を構築するに際して、ボイラ本体点検用足場２５は、図１３に示すように、ボイラ本体２１の内壁面部分にのみ構築すれば良いが、吊り下げパネル点検用足場２８は、吊り下げパネル２３が多数あるので、図１４に示すように、複雑に入り組んだ足場を、ボイラ本体２１内全面に亘って構築する必要があった。このために、ボイラ本体点検用足場２５上に全面床２７を構築する必要があったが、この全面床２７の構築作業は、高所作業となるので、危険が伴っていた。
【００１１】
しかも、ボイラ本体点検用足場２５を組み立てた後、全面床２７を構築し、その後、吊り下げパネル点検用足場２８を組み立てる必要があるので、足場の構築に多大な時間と手間を要していた。
【００１２】
従って、この発明の目的は、ボイラ本体点検用足場と吊り下げパネル点検用足場とを同時に構築することができるので、ボイラ本体内足場の構築期間を大幅に短縮することができ、しかも、ボイラ本体点検用足場の構築作業と吊り下げパネル点検用足場を組み立てる上段ジャッキ作業床の構築作業を何れも低所で行うことができるので、ボイラ内足場を安全に構築することができる。
【課題を解決するための手段】
【００１３】
この発明は、上記目的を達成するためになされたものであって、下記を特徴とするものである。
【００１４】
請求項１に記載の発明は、水管ノーズ部が形成されたボイラ本体内にボイラ内足場を構築する、ボイラ内足場の構築方法において、下記（１）工程から（７）工程、
（１）前記ボイラ本体のボイラホッパー上に構築された下部作業床において上段ジャッキ作業床用ジャッキにより吊り上げ・吊り下げ可能な上段ジャッキ作業床を組み立てる。
（２）前記上段ジャッキ作業床を前記上段ジャッキ作業床用ジャッキにより若干、吊り上げた後、前記上段ジャッキ作業床上に吊り下げパネル点検用足場材を荷上げする。
（３）前記上段ジャッキ作業床の下方部に、下段ジャッキ作業床用ジャッキにより吊り上げ・吊り下げ可能な下段ジャッキ作業床を構築する。
（４）前記吊り下げパネル点検用足場材が荷上げされた前記上段ジャッキ作業床を前記上段ジャッキ作業床用ジャッキにより前記水管ノーズ部の下方部まで吊り上げる。
（５）前記上段ジャッキ作業床上において吊り下げパネル点検用足場を組み立てる。
（６）前記（５）工程と同時に、前記下部作業床においてボイラ本体点検用足場を組み立て、組み立てた前記ボイラ本体点検用足場を前記下段ジャッキ作業床に接続し、前記下段ジャッキ作業床用ジャッキにより前記下段ジャッキ作業床を前記ボイラ本体点検用足場と共に吊り上げる。
（７）前記（６）工程を繰り返し行って、前記ボイラ本体点検用足場を前記水管ノーズ部の下方部まで組み立てる。
によって、前記ボイラ本体点検用足場と前記吊り下げパネル点検用足場とを同時に組み立てて、ボイラ内足場を構築することに特徴を有するものである。
【００１５】
請求項２に記載の発明は、請求項１に記載の発明において、前記上段ジャッキ作業床用ジャッキおよび前記下段ジャッキ作業床用ジャッキは、ストランド式ジャッキからなることに特徴を有するものである。
【発明の効果】
【００１６】
この発明によれば、ボイラ本体点検用足場と吊り下げパネル点検用足場とを同時に構築することができるので、ボイラ本体内足場の構築期間を大幅に短縮することができる。
【００１７】
また、この発明によれば、ボイラ本体点検用足場の構築作業と吊り下げパネル点検用足場を組み立てる下段ジャッキ作業床の構築作業を何れも低所で行うことができるので、ボイラ内足場を安全に構築することができる。
【図面の簡単な説明】
【００１８】
【図１】この発明により、下部作業床において上段ジャッキ作業床を組み立てる状態を示す断面図である。
【図２】この発明により、上段ジャッキ作業床上に吊り下げパネル点検用足場材を荷上げした後、下段ジャッキ作業床を組み立てる状態を示す断面図である。
【図３】この発明により、吊り下げパネル点検用足場材が荷上げされた上段ジャッキ作業床を水管ノーズ部の下方部まで吊り上げる状態を示す断面図である。
【図４】この発明により、上段ジャッキ作業床上において吊り下げパネル点検用足場を組み立てると同時に、下部作業床においてボイラ本体点検用足場を組み立てて、組み立てたボイラ本体点検用足場を下段ジャッキ作業床に接続する状態を示す断面図である。
【図５】この発明により、ボイラ本体内にボイラ本体点検用足場と吊り下げパネル点検用足場とを構築した状態を示す断面図である。
【図６】ボイラを示す断面図である。
【図７】従来法によりボイラ本体点検用足場を下から上に向かって構築する状態を示す断面図である。
【図８】従来法により水管ノーズ部の下方部までボイラ本体点検用足場を構築した後、ボイラ本体点検用足場上に全面床を構築した状態を示す断面図である。
【図９】従来法により全面床上に吊り下げパネル点検用足場を構築する状態を示す断面図である。
【図１０】従来法によりボイラ内足場の構築が完了した状態を示す断面図である。
【図１１】図６のＡ−Ａ断面図である。
【図１２】図６のＢ−Ｂ断面図である。
【図１３】図７のＣ−Ｃ断面図である。
【図１４】図１０のＤ−Ｄ断面図である。
【発明を実施するための形態】
【００１９】
この発明の、ボイラ内足場の構築方法の一実施態様を、図面を参照しながら説明する。
【００２０】
図１は、この発明により、下部作業床において上段ジャッキ作業床を組み立てる状態を示す断面図、図２は、この発明により、上段ジャッキ作業床上に吊り下げパネル点検用足場材を荷上げした後、下段ジャッキ作業床を組み立てる状態を示す断面図、図３は、この発明により、吊り下げパネル点検用足場材が荷上げされた上段ジャッキ作業床を水管ノーズ部の下方部まで吊り上げる状態を示す断面図、図４は、この発明により、上段ジャッキ作業床上において吊り下げパネル点検用足場を組み立てると同時に、下部作業床においてボイラ本体点検用足場を組み立てて、組み立てたボイラ本体点検用足場を下段ジャッキ作業床に接続する状態を示す断面図、図５は、この発明により、ボイラ本体内にボイラ本体点検用足場と吊り下げパネル点検用足場とを構築した状態を示す断面図である。
【００２１】
図１から図５において、１は、ボイラ本体、２は、ボイラ本体１の下部に構築されたボイラホッパー、３は、ボイラ本体１内の上部方部に設置された、伝熱面積を増やすための吊り下げパネル、４は、ボイラ本体１の内側に突出して構築された水管ノーズ部である。
【００２２】
５は、ボイラホッパー２上に構築された下部作業床、６は、上段ジャッキ作業床用ジャッキ７により吊り上げ・吊り下げ可能な上段ジャッキ作業床である。上段ジャッキ作業床用ジャッキ７は、上段ジャッキ作業床６とボイラ天井壁８に設置したジャッキ本体９との間に張り渡されたワイヤー１０とからなり、ジャッキ本体９によりワイヤー１０を間欠的に引き上げ・引き下げることによって、上段ジャッキ作業床６を間欠的に吊り下げ・吊り上げる。上段ジャッキ作業床用ジャッキ７は、例えば、特許文献１に開示されたストランド式ジャッキを使用する。
【００２３】
１１は、上段ジャッキ作業床６上に荷上げされた吊り下げパネル点検用足場材である。１２は、上段ジャッキ作業床６の下方部に構築された、下段ジャッキ作業床用ジャッキ１３により吊り上げ・吊り下げ可能な下段ジャッキ作業床である。下段ジャッキ作業床用ジャッキ１３は、下段ジャッキ作業床１２に設置したジャッキ本体１４とボイラ天井壁８（一部は、水管ノーズ部４部分のボイラ壁）との間に張り渡されたワイヤー１５とからなり、ジャッキ本体１４によりワイヤー１５を間欠的に引き上げ・引き下げることによって、下段ジャッキ作業床１２を間欠的に吊り下げ・吊り上げる。下段ジャッキ作業床用ジャッキ１３は、例えば、特許文献１に開示されたストランド式ジャッキを使用する。
【００２４】
１６は、ボイラ本体点検用足場、１７は、吊り下げパネル点検用足場である。
【００２５】
次に、この発明によるボイラ内足場の構築方法を説明する。
【００２６】
先ず、図１に示すように、ボイラ本体１のボイラホッパー２上に構築された下部作業床５において上段ジャッキ作業床用ジャッキ７により吊り上げ・吊り下げ可能な上段ジャッキ作業床６を組み立てる。上段ジャッキ作業床６の組み立て作業は、低所で行えるので、安全に行える。
【００２７】
次いで、図２に示すように、上段ジャッキ作業床６を上段ジャッキ作業床用ジャッキ７により若干、吊り上げた後、上段ジャッキ作業床６上に吊り下げパネル点検用足場材１１を荷上げする。
【００２８】
次いで、図２に示すように、上段ジャッキ作業床６の下方部に、下段ジャッキ作業床用ジャッキ１３により吊り上げ・吊り下げ可能な下段ジャッキ作業床１２を構築する。
【００２９】
次いで、図３に示すように、吊り下げパネル点検用足場材１１が荷上げされた上段ジャッキ作業床６を上段ジャッキ作業床用ジャッキ７により水管ノーズ部４の下方部まで吊り上げる。
【００３０】
次いで、上段ジャッキ作業床６上において吊り下げパネル点検用足場１７を組み立てる。これと同時に、図４に示すように、下部作業床５においてボイラ本体点検用足場１６を組み立て、組み立てたボイラ本体点検用足場１６を下段ジャッキ作業床１２に接続し、下段ジャッキ作業床用ジャッキ１３により下段ジャッキ作業床１２をボイラ本体点検用足場１６と共に吊り上げる。これらの作業を繰り返し行って、ボイラ本体点検用足場１６を水管ノーズ部４の下方部まで組み立てる。ボイラ本体点検用足場１６の構築作業は、低所で行えるので、安全に行える。
【００３１】
このようにして、図５に示すように、ボイラ本体点検用足場１６と吊り下げパネル点検用足場１７とを同時に組み立てることによって、ボイラ内足場を短期間に構築することができる。
【００３２】
上述したように、この発明によれば、ボイラ本体点検用足場１６と吊り下げパネル点検用足場１７とを同時に構築することができるので、ボイラ本体内足場の構築期間を大幅に短縮することができる。
【００３３】
また、この発明によれば、ボイラ本体点検用足場１６の構築作業と吊り下げパネル点検用足場１７を組み立てる下段ジャッキ作業床１２の構築作業を何れも低所で行うことができるので、ボイラ内足場を安全に構築することができる。
【符号の説明】
【００３４】
１：ボイラ本体
２：ボイラホッパー
３：吊さ下げパネル
４：水管ノーズ部
５：下部作業床
６：上段ジャッキ作業床
７：上段ジャッキ作業床ジャッキ
８：ボイラ天井壁
９：ジャッキ本体
１０：ワイヤー
１１：吊さ下げパネル点検用足場材
１２：下段ジャッキ作業床
１３：下段ジャッキ作業床ジャッキ
１４：ジャッキ本体
１５：ワイヤー
１６：ボイラ本体点検用足場
１７：吊さ下げパネル点検用足場
２１：ボイラ本体
２２：ボイラホッパー
２３：吊さ下げパネル
２４：水管ノーズ部
２５：ボイラ本体点検用足場
２６：下部作業床
２７：全面床
２８：吊さ下げパネル点検用足場
２９：ボイラ天井壁
【図１】
2017061814.tif 000003
【図２】
2017061814.tif 000004
【図３】
2017061814.tif 000005
【図４】
2017061814.tif 000006
【図５】
2017061814.tif 000007
【図６】
2017061814.tif 000008
【図７】
2017061814.tif 000009
【図８】
2017061814.tif 000010
【図９】
2017061814.tif 000011
【図１０】
2017061814.tif 000012
【図１１】
2017061814.tif 000013
【図１２】
2017061814.tif 000014
【図１３】
2017061814.tif 000015
【図１４】
2017061814.tif 000016